(57)【要約】【課題】  絶縁対象物を覆うように取り付ける絶縁シートを、絶縁対象物を覆った状態に容易に、短時間で固定することができる絶縁シートの固定具を提供する。【解決手段】  絶縁シート２５を絶縁対象物を覆った状態に固定する絶縁シートの固定具１であって、外側に膨出するように湾曲されるとともに、先端が外側に向けて湾曲される一対のアーム２、５と、前記両アーム２、５の一端間を回動可能に連結することにより、前記両アーム２、５の他端間を開閉可能とする連結部材１２と、前記両アーム２、５を前記連結部材１２を介して支持する支持部材７と、前記両アーム２、５の外面側に設けられる前記絶縁シート２５の取付部材２０と、前記両アーム２、５を閉じる方向に常時付勢する付勢部材と、前記支持部材７に設けられるとともに、間接活線工具で把持可能な把持部１１と、前記各アーム２、５の内面の複数箇所に回転可能に設けられるとともに、一部が各アーム２、５の内面から内方に所定量突出する複数の案内部材とを備えている。【選択図】        図１
2015015857.tif 000002
【特許請求の範囲】
【請求項１】
絶縁シートを絶縁対象物を覆った状態に固定する絶縁シートの固定具であって、
外側に膨出するように湾曲されるとともに、先端が外側に向けて湾曲される一対のアームと、前記両アームの一端間を回動可能に連結することにより、前記両アームの他端間を開閉可能とする連結部材と、前記両アームを前記連結部材を介して支持する支持部材と、前記両アームの外面側に設けられる前記絶縁シートの取付部材と、前記両アームを閉じる方向に常時付勢する付勢部材と、前記支持部材に設けられるとともに、間接活線工具で把持可能な把持部と、前記各アームの内面の複数箇所に回転可能に設けられるとともに、一部が各アームの内面から内方に所定量突出する複数の案内部材とを備えていることを特徴とする絶縁シートの固定具。
【請求項２】
前記取付部材は、前記両アームの外面側に貼着された面ファスナーのループ又はフックからなる第１部材であり、該第１部材と前記絶縁シートに貼着された面ファスナーのフック又はループからなる第２部材とを相互に接合させることにより、前記絶縁シートが前記両アームの外面側に取り付けられるように構成されていることを特徴とする請求項１に記載の絶縁シートの固定具。
【請求項３】
前記支持部材は、板状の上板と、板状の下板と、上板と下板の一端間を連結する板状の側板とからなるコ形状をなし、前記側板の外面側に前記把持部が設けられるとともに、前記支持部材の内面側に前記両アームの一端部が挿入された状態で、前記両アームの一端間が前記連結部材を介して前記支持部材に連結されていることを特徴とする請求項１又は２に記載の絶縁シートの固定具。
【請求項４】
前記把持部は、板状、又は中実又は中空の棒材をコ字状に屈曲させた形状に形成されていることを特徴とする請求項３に記載の絶縁シートの固定具。
【請求項５】
前記一対のアームは、略半円筒状に形成されていることを特徴とする請求項１〜４の何れか１項に記載の絶縁シートの固定具。
【請求項６】
前記案内部材は、ローラーと、該ローラーを回転可能に支持する支持軸とからなり、前記ローラーの周面の一部が前記各アームの内面から内方に所定量突出するように、前記各アームに設けられていることを特徴とする請求項１〜５の何れか１項に記載の絶縁シートの固定具。
【発明の詳細な説明】
【技術分野】
【０００１】
本発明は、絶縁シートの固定具に関し、特に、架空配電線において、間接活線工法により各種の作業を行う場合に、電柱、腕金等の絶縁対象物を覆うように取り付ける絶縁シートを、絶縁対象物を覆った状態に固定するのに有効な絶縁防具の固定具に関する。
【背景技術】
【０００２】
従来、架空配電線において、間接活線工法により各種の作業を行う場合、縁線や作業者が誤って他物と接触して、地絡、短絡、感電等の不測の事故が起きるのを防止するため、電柱、腕金、配電線等の絶縁対象物を覆うように絶縁シートを取り付け、固定クリップ等の固定具で絶縁シートを絶縁対象物を覆った状態に固定することが行われている。
【０００３】
この種の固定具の一例が特許文献１に記載されている。この固定具は、開閉可能に連結される湾曲形状の一対のハンドルと、両ハンドルを閉じる方向に常時付勢するバネ部材と、両ハンドルの要所に回転可能に設けられるローラーと、一方のハンドルの端部に設けられる掴み部とを備えている。
【０００４】
このような構成の固定具は、絶縁ヤット等の間接活線工具を用いて掴み部を掴み、間接活線工具を操作して絶縁対象物（配電線）の側方から両ハンドルを配電線の方向に送り込み、両ハンドルの先端部間を絶縁シートを取り付けた配電線に押し付け、両ハンドルの先端部間を押し広げることにより、絶縁シートと共に配電線を両ハンドルの中央部間に押し込む。これにより、絶縁シートの外側に絶縁シートを挟み込んだ状態に取り付けることができ、絶縁シートを配電線を覆った状態に固定することができる。
【０００５】
ところで、上記のような構成の固定具にあっては、絶縁シートを配電線を覆うように取り付ける作業と、絶縁シートの外側に固定具を取り付ける作業の２つの作業が必要になるため、絶縁シートを配電線を配電線を覆った状態に取り付け、固定するのに時間と手間がかかる。
【０００６】
また、一方のハンドルの端部に設けられた掴み部のみを絶縁ヤットコ等の間接活線工具で掴んでいるため、間接活線工具によって両ハンドルに均等な力を加えることができない。このため、両ハンドルの先端部間に絶縁シートを取り付けた配電線を押し付けた際に、片持ち状態になって押し込み力の小さいハンドルの方向へ回転力が生じ、この回転力によって間接活線工具が掴み部から外れることがある。このため、間接活線工具で掴み部を掴み直す等の作業が必要になり、固定具を絶縁シートの外側に取り付ける作業に非常に手間がかかる。
【０００７】
さらに、固定具の両ハンドル間に絶縁シートと共に配電線を押し込む際に、ローラーの回転によって各ハンドルと絶縁シートとの間の摩擦力を軽減させているが、両ハンドルに均等な力を加えることができないため、各ハンドルのローラーと絶縁シートとの間の摩擦力に大小の差が生じ、摩擦力の大きい方のローラーに対応する絶縁シートの部分が摩耗したり、損傷したりするおそれがある。
【先行技術文献】
【特許文献】
【０００８】
【特許文献１】特開２００１−２３１１１８号公報
【発明の概要】
【発明が解決しようとする課題】
【０００９】
本発明は、上記のような従来の問題に鑑みなされたものであって、電柱、腕金、配電線等の絶縁対象物を覆うように取り付ける絶縁シートを、容易に、短時間で絶縁対象物を覆った状態に固定することができるとともに、絶縁シートを部分的に摩耗させたり、損傷させたりすることがない絶縁シートの固定具を提供することを目的とする。
【課題を解決するための手段】
【００１０】
上記のような課題を解決するために、本発明は、以下のような手段を採用している。
すなわち、本発明は、絶縁シートを絶縁対象物を覆った状態に固定する絶縁シートの固定具であって、外側に膨出するように湾曲されるとともに、先端が外側に向けて湾曲される一対のアームと、前記両アームの一端間を回動可能に連結することにより、前記両アームの他端間を開閉可能とする連結部材と、前記両アームを前記連結部材を介して支持する支持部材と、前記両アームの外面側に設けられる前記絶縁シートの取付部材と、前記両アームを閉じる方向に常時付勢する付勢部材と、前記支持部材に設けられるとともに、間接活線工具で把持可能な把持部と、前記各アームの内面の複数箇所に回転可能に設けられるとともに、一部が各アームの内面から内方に所定量突出する複数の案内部材とを備えていることを特徴とする。
【００１１】
本発明の絶縁シートの固定具によれば、両アームの外面側に絶縁シートを取付部材を介して取り付け、把持部を間接活線工具で把持し、間接活線工具を操作して、両アームを絶縁対象物の方向に送り込み、両アームの他端部間に絶縁対象物を押し付けることにより、両アームの他端部間が付勢部材の付勢力に抗して押し広げられ、両アーム間に絶縁対象物が押し込まれる。これにより、両アームが付勢部材の付勢力によって絶縁対象物に押し付けられ、外面側に取付部材を介して絶縁シートが取り付けられた状態の固定具が絶縁対象物に取り付けられる。そして、この状態で絶縁シートで絶縁対象物を覆うことにより、絶縁シートを絶縁対象物を覆った状態に固定することができる。
【００１２】
また、本発明において、前記取付部材は、前記両アームの外面側に貼着された面ファスナーのループ又はフックからなる第１部材であり、該第１部材と前記絶縁シートに貼着された面ファスナーのフック又はループからなる第２部材とを相互に接合させることにより、前記絶縁シートが前記両アームの外面側に取り付けられるように構成されていることとしてもよい。
【００１３】
本発明の絶縁シートの固定具によれば、両アームの外面側の面ファスナーの第１部材と、絶縁シート側の面ファスナーの第２部材とを、相互に接合させることにより、絶縁シートが両アームの外面側に取り付けられることになる。従って、両アームへの絶縁シートの着脱を容易に行うことができる。
【００１４】
また、本発明において、前記支持部材は、板状の上板と、板状の下板と、上板と下板の一端間を連結する板状の側板とからなるコ形状をなし、前記側板の外面側に前記把持部が設けられるとともに、前記支持部材の内面側に前記両アームの一端部が挿入された状態で、前記両アームの一端間が前記連結部材を介して前記支持部材に連結されていることとしてもよい。
【００１５】
本発明の絶縁シートの固定具によれば、支持部材の側板の外面側に把持部が設けられ、この把持部を間接活線工具で把持することにより、支持部材の内面側に一端部が挿入された状態の両アームを支持することができるので、両アームの他端間に絶縁対象物を押し付けた場合に、両アームに均等の押付け力を加えることができ、両アーム間に絶縁対象物を容易に、短時間で押し込むことができる。
【００１６】
また、本発明において、前記把持部は、板状、又は中実又は中空の棒材をコ字状に屈曲させた形状に形成されていることとしてもよい。
【００１７】
本発明の絶縁シートの固定具によれば、使用する間接活線工具の種類に応じて、把持部を板状、又は中実又は中空の棒材をコ字状に屈曲させた形状とすることにより、各種の間接活線工具で把持部を把持することができる。
【００１８】
また、本発明において、前記一対のアームは、略半円筒状に形成されていることとしてもよい。
【００１９】
本発明の絶縁シートの固定具によれば、絶縁対象物が電柱のような円柱状をなすものの場合に、両アームと絶縁対象物との接触面積を大きくとるこができ、両アームで絶縁対象物を強固に把持することができる。
【００２０】
また、本発明において、前記案内部材は、ローラーと、該ローラーを回転可能に支持する支持軸とからなり、前記ローラーの周面の一部が前記各アームの内面から内方に所定量突出するように、前記各アームに設けられていることとしてもよい。
【００２１】
本発明の絶縁シートの固定具によれば、各アームの案内部材のローラーの周面を絶縁対象物の表面に接触させることにより、両アーム間に絶縁対象物を押し込む際に、各アームと絶縁対象物との間の摩擦力を軽減させることができ、両アーム間に絶縁対象物を容易に、短時間で押し込むことができる。
【発明の効果】
【００２２】
以上、説明したように、本発明の絶縁シートの固定具によれば、絶縁対象物を覆うように取り付ける絶縁シートを、容易に、短時間で絶縁対象物を覆った状態に固定することができる。また、絶縁対象物に固定具を取り付けることにより、固定具に取り付けられた絶縁シートを絶縁対象物に取り付けることができるので、絶縁対象物に絶縁シートを取り付け、絶縁シートを絶縁対象物を覆った状態に固定する作業を効率良く行うことができる。
【図面の簡単な説明】
【００２３】
【図１】本発明による絶縁シートの固定具の一実施の形態を示した斜視図である。
【図２】第１アームと第２アームと支持部材との関係を示した説明図である。
【図３】絶縁シートの裏面側から見た展開図である。
【図４】固定具及び絶縁シートを電柱及び腕金に取り付けた状態を示した説明図である。
【図５】本発明による絶縁シートの固定具の他の使用例を示した説明図である。
【発明を実施するための形態】
【００２４】
以下、図面を参照しながら本発明の実施の形態について説明する。
図１〜図４には、本発明による絶縁シートの固定具の一実施の形態が示されている。本実施の形態の絶縁シートの固定具（以下、固定具１という。）は、架空配電線において、間接活線工法により各種の作業を行う場合に、縁線や作業者が誤って電柱、腕金、配電線等の絶縁対象物と接触して、地絡、短絡、感電等の不測の事故が起きるのを防止するため、電柱、腕金、配電線等の絶縁対象物を覆うように取り付ける絶縁シートを、絶縁対象物を覆った状態に固定するのに有効なものである。
なお、本実施の形態にいては、絶縁対象物を電柱３５及び腕金３６、３７とし、電柱３５及び腕金３６、３７を覆うように取り付ける絶縁シート２５を、電柱３５及び腕金３６、３７を覆った状態に固定するのに適用している。
【００２５】
本実施の形態の固定具１は、図１及び図２に示すように、開閉可能に設けられる一対のアーム２、５と、両アーム２、５を開閉可能に支持する支持部材７と、両アーム２、５を閉じる方向に常時付勢する付勢部材（図示せず）と、支持部材７に設けられる把持部１１と、各アーム２、５の複数箇所に回転可能に設けられる案内部材１６とを備えている。
【００２６】
両アーム（以下、第１アーム２、第２アーム５という。）は、略半円筒状をなすものであって、両アーム２、５の一端部が連結部材１２を介して支持部材７に連結され、連結部材１２を中心として両アーム２、５の他端間が開閉可能に構成されている。
【００２７】
第１アーム２の一端の上下には、図２に示すように、一対の板状の突部３、４が間隔をおいて一体に設けられている。各突部３、４の中心には、それぞれピン挿通孔３ａ、４ａが貫通した状態で設けられている。第１アーム２の他端は、図１に示すように、所定の角度で外方に屈曲されている。
【００２８】
第２アーム５の一端の厚さ方向の中央には、図２に示すように、一つの板状の突部６が一体に設けられている。突部６の中心には、ピン挿通孔６ａが貫通した状態で設けられている。第２アーム５の他端は、図１に示すように、第１アーム２と同一角度で外方に屈曲されている。
【００２９】
支持部材７は、図１及び図２に示すように、平板状の上板８と、平板状の下板９と、上板８と下板９の一端間を連結する平板状の側板１０とからなるコ字形状をなすものであって、上板８及び下板９の中央には、それぞれピン挿通孔８ａ、９ａが貫通した状態で設けられ、この支持部材７の内面側に第１アーム２及び第２アーム５の一端部が挿入される。
【００３０】
支持部材７の内面側に第１アーム２及び第２アーム５の一端部を挿入し、第１アーム２の突部３、４間に第２アームの突部６を挟んだ状態で、支持部材７の上板８のピン挿通孔８ａ、第１アーム２の上側の突部３のピン挿通孔３ａ、第２アーム５の突部６のピン挿通孔６ａ、第１アーム２の下側の突部４のピン挿通孔４ａ、及び支持部材７の下板９のピン挿通孔９ａ内に連結部材としての連結ピン１２を挿通させ、連結ピン１２の上下端部を上板８及び下板９に固定することにより、両アーム２、５の一端部が支持部材７に連結ピン１２を介して回動自在に連結され、両アーム２、５の他端部間が連結ピン１２を中心として開閉可能に構成される。
【００３１】
連結ピン１２としては、例えば、両端部にねじが設けられたもの、六角ボルト状のもの等が用いられ、連結ピン１２のねじの部分にナットを締め付けることにより、連結ピン１２の上下端部が支持部材７の上板８及び下板９に固定される。
【００３２】
連結ピン１２と第１アーム２及び第２アーム５との間には、付勢部材としてのトーションコイルばねが装着され、このトーションコイルばねの付勢力により、両アーム２、５の他端部間が閉じる方向に常時付勢される。
なお、付勢部材としては、トーションコイルばねに限らず、両アーム２、５の他端部間を閉じる方向に常時付勢することができる機能を有するものであればよい。
【００３３】
支持部材７の側板１０の中央には、板状の把持部１１が外方に突出した状態で一体に設けられ、この把持部１１を絶縁ヤットコ等の間接活線工具（図示せず）で把持することで、固定具１を支持することができる。
なお、把持部１１は、板状に限らず、中実又は中空の棒状のものをコ字状に屈曲させて、その両端を側板１０に連結するように構成してもよい。要は、絶縁ヤット等の間接活線工具で把持できる形状であればよい。
【００３４】
第１アーム２及び第２アーム５の複数箇所には、案内部材１６が設けられている。案内部材１６は、円柱状のローラー１７と、ローラー１７を回転自在に支持する支持軸１８とから構成されている。案内部材１６は、ローラー１７（又は支持軸１６）の軸線が垂直方向を向くように、上下端が第１アーム２及び第２アーム５の上下面に固定されている。案内部材１６は、ローラー１７の周面の一部が第１アーム２及び第２アーム５の内面から内方に所定量突出するように、第１アーム２及び第２アーム５への取付位置が設定されている。
なお、本実施の形態においては、第１アーム２及び第２アーム５の内面のうち、外方に屈曲されている部分に１箇所、湾曲状に形成された部分に４箇所、及び外方に屈曲された部分と湾曲状に形成された部分との境界部に１箇所、合計６箇所に案内部材１６をそれぞれ設けて、両アーム２、５の内面側に電柱３５を押し込む際の抵抗を軽減させているが、これに限定することなく、両アーム２、５の内面側の５箇所以下、７箇所以上に案内部材１６を設けるように構成してもよい。
なお、外方に屈曲されている部分、及び外方に屈曲された部分と湾曲状に形成された部分との境界部は、両アーム２、５の内面側に電柱３５を押し込む際に、両アーム２、５が最初に電柱３５に接触する部分、及び２番目に電柱３５に接触する部分となるので、少なくとも１箇所に案内部材１６を設ける必要がある。
【００３５】
第１アーム２及び第２アーム５の外面側には、第１アーム２及び第２アーム５の全長に亘るように面ファスナー２０のループ又はフックからなる帯状の第１部材２０ａが一体に接合され、この面ファスナー２０の第１部材２０ａと後述する絶縁シート２５の主シート部２６の面ファスナー２０のフック又はループとかなる帯状の第２部材２０ｂとが相互に着脱可能に接合される。
【００３６】
絶縁シート２５は、絶縁材から形成されるものであって、図３に示すように、電柱３５を覆うための長方形状の主シート部２６と、主シート部２６の各長辺に沿うようにそれぞれ設けられる、腕金３６、３７を覆うための長方形状の一対の副シート部２８、２９と、主シート部２６の裏面側の各長辺２６ａ、２６ｂに沿う部分にそれぞれ設けられ、電柱３５と腕金３６、３７との境界部を覆うための長方形状の一対の補助シート部３０、３１とを備えている。なお、図３は、絶縁シート２５を裏面側から見た展開図である。
【００３７】
主シート部２６の図中上側の短辺２６ｃに沿う部分には、前述した固定具１の把持部１１を挿通させるスリット２７が設けられている。
【００３８】
各副シート部２８、２９は、主シート部２６よりも全長が短い長方形状をなすものであって、図中下側の短辺２８ｄ、２９ｄが主シート部２６の図中下側の短辺２６ｄの延長線上に位置するように、主シート部２６の各長辺２６ａ、２６ｂに沿ってそれぞれ設けられている。
【００３９】
各副シート部２８、２９は、一方の長辺２８ａ、２９ａの図中上側の太線で示す部分（一方の長辺２８ａ、２９ａの全長の約１／４程度）が主シート部２６の各長辺２６ａ、２６ｂに一体に接合され、それよりも図中下側の部分は主シート部２６の各長辺２６ａ、２６ｂに対して分離した状態となっている。
【００４０】
各補助シート部３０、３１は、副シート部２８、２９よりも全長が短い長方形状をなすものであって、図中上側の短辺３０ｃ、３１ｃが各副シート部２８、２９の図中上側の短辺２８ｃ、２９ｃの延長線上に位置するように、主シート部２６の各長辺２６ａ、２６ｂに沿ってそれぞれ設けられている。
【００４１】
各補助シート部３０、３１は、図中左側の長辺３０ａ及び右側の長辺３１ａが主シート部２６の各長辺２６ａ、２６ｂと重合した状態で、図中上側の短辺３０ｃ、３１ｃに沿う部分（図中ハッチングで示す部分）が主シート部２６に一体に接合され、その他の部分が主シート部２６の裏面に対して分離した状態となっている。各補助シート部３０、３１は、接合部３３ａ、３３ｂ側の折り曲げ線３４ａ、３４ｂを基準として、図中矢印方向に折り曲げ可能に構成されている。
【００４２】
主シート部２６の図中上方の短辺２６ｃに沿う裏面側の部分には、面ファスナー２０のフック又はループからなる帯状の第２部材２０ｂが短辺２６ｃの全長に沿うように一体に接合され、この面ファスナー２０の第２部材２０ｂと前述した固定具１の外面側の面ファスナー２０の第１部材２０ａとが相互に着脱可能に接合される。
【００４３】
各副シート部２８、２９の図中上側の短辺２８ｃ、２９ｃに沿う表面側の部分には、面ファスナー２１、２２のループ又はフックからなる帯状の第１部材２１ａ、２２ａが短辺２８ｃ、２９ｃの全長に沿うように一体に接合され、各副シート部２８、２９の図中下側の短辺２８ｄ、２９ｄに沿う裏面側の部分には、面ファスナー２１、２２のフック又はループからなる帯状の第２部材２１ｂ、２２ｂが短辺２８ｄ、２９ｄの全長に沿うように一体に接合されている。
各副シート部２８、２９は、接合部３２ａ、３２ｂ側の短辺２８ｃ、２９ｃに対して図中下側の短辺２８ｄ、２９ｄを図中矢印方向に丸めて、短辺２８ｃ、２９ｃに沿う面ファスナー２１、２２の第１部材２１ａ、２２ａと、短辺２８ｄ、２９ｄに沿う面ファスナー２１、２２の第２部材２１ｂ、２２ｂとを相互に接合させることにより、丸めた状態に保持される。
【００４４】
そして、上記のような構成の固定具１により、絶縁シート２５を電柱３５及び腕金３６、３７に覆った状態に固定するには、まず、図１に示すように、固定具１の第１アーム２及び第２アーム５の外面側の面ファスナー２０の第１部材２０ａと絶縁シート２５の主シート部２６の裏面側の面ファスナー２０の第２部材２０ｂとを、相互に接合させることにより、絶縁シート２５を固定金具１の両アーム２、５の外面側に、主シート部２６を両アーム２、５の外面に沿って丸めた状態に、かつ吊り下げた状態に取り付ける。この際、固定金具１の把持部１１を絶縁シート２５の主シート部２６のスリット２７を挿通させることにより、絶縁シート２５の主シート部２６の表面側に固定金具１の把持部１１を突出させる。
【００４５】
次に、作業者が各種の作業を行う電柱３５の前面側に配置した高所作業車内において、図４に示すように、固定具１の把持部１１を絶縁ヤットコ等の間接活線工具で掴み、間接活線工具を操作することにより固定具１を電柱３５の方向に送り出し、固定具１の両アーム２、５の他端部間に電柱３５を押し付け、固定具１を電柱３５の方向に押し込むことにより、固定具１の両アーム２、５の他端部間をトーションコイルばねの付勢力に抗して押し広げ、固定具１の両アーム２、５間に電柱３５を押し込む。
【００４６】
これより、固定具１の両アーム２、５がトーションコイルばねの付勢力によって電柱３５の表面に押し付けられ、固定具１が両アーム２、５で電柱３５を挟んだ状態に取り付けられ、固定具１に吊り下げられた絶縁シート２５の主シート部２６が、両アーム２、５の曲率と略同一に丸められた状態で、電柱３５の周囲の一部（電柱３５の前面側の部分、及び両側面側の部分）に巻き付けられる。
【００４７】
次に、各補助シート部３０、３１を、折り曲げ線３４ａ、３４ｂにおいて図３の矢印方向に折り曲げ、各補助シート部３０、３１を各腕金３６、３７の上面に沿って延ばす。次に、各副シート部２８、２９を、図３に示すように、短辺２８ｃ、２９ｃに対して短辺２８ｄ、２９ｄを各腕金３６、３７の周囲を囲むように丸め、各副シート部２８、２９の短辺２８ｃ、２９ｃ側の面ファスナー２１、２２の第１部材２１ａ、２２ａと短辺２８ｄ、２９ｄ側の面ファスナー２１、２２の第２部材２１ｂ、２２ｂとを相互に接合させ、各副シート部２８、２９を丸めた状態に保持する。
【００４８】
これにより、絶縁シート２５の主シート部２６によって電柱３５の前面側の部分、及び両側面側の部分を覆うことができ、各副シート部２８、２９によって各腕金３６、３７の周囲を覆うことができ、各補助シート部３０、３１によって電柱３５と各腕金３６、３７との境界部の上面側の部分を覆うことができる。また、固定具１により、主シート部２６を電柱３５の前面側の部分及び両側面側の部分を覆った状態に固定でき、各副シート部２８、２９を各腕金３６、３７の周囲を覆った状態に固定することができ、各補助シート部３０、３１を電柱３５と各腕金３６、３７との境界部の上面側を覆った状態に固定することができる。
【００４９】
上記のように構成した本実施の形態の固定具１にあっては、固定具１の把持部１１を間接活線工具で把持して、間接活線工具を操作して固定具１の両アーム２、５間に電柱３５を押し込み、両アーム２、５で電柱３５を両側から挟み込むことにより、固定具１を電柱３５に取り付けることができ、固定具１を介して絶縁シート２５を電柱３５及び腕金３６、３７に取り付けることができる。
【００５０】
従って、固定具１を電柱３５に取り付ける作業と、絶縁シート２５を電柱３５及び腕金３６、３７を覆うように取り付け、絶縁シート２５を電柱３５及び腕金３６、３７を覆った状態に固定する作業をほぼ同時に行うことができるので、絶縁シート２５を電柱３５及び腕金３６、３７を覆った状態に固定する作業を容易に、短時間で行うことができる。
【００５１】
また、間接活線工具によって把持部１１を把持して両アーム２、５間に電柱３５を押し込む際に、両アーム２、５に均等な押し込み力を加えることができるので、従来の技術のように、両アーム２、５に加える押し込み力が不均等なために片持ち状態になって、押し込み力が小さいアーム２、５の方向への回転力が作用して、把持部１１が間接活線工具から外れるようなことはなく、固定具１を電柱３５に容易に、短時間で取り付けることができる。
【００５２】
また、固定具１を電柱３５に取り付けた後に、絶縁シート２５で電柱３５及び腕金３６３７を覆うことになるので、固定具１の各アーム２、５の案内部材１６のローラー１７との摩擦力により、絶縁シート２５が部分的に摩耗したり、損傷したりすることはない。
【００５３】
また、電柱３５の前面側から間接活線工具を操作することにより、固定具１を電柱３５に取り付けることができるとともに、固定金具１に取り付けた絶縁シート３５を、主シート部２６で電柱３５の前面側の部分及び両側面側の部分を覆い、各副シート部２８、２９で各腕金３６、３７の周囲を覆い、各補助シート部３０、３１で電柱３５と各腕金３６、３７との境界部の上面側を覆うように、取り付けることができるので、電柱３５及び腕金３６、３７を覆う作業を効率良く行うことができる。
【００５４】
なお、本実施の形態においては、固定具１の両アーム２、５の外面側に絶縁シート２５を面ファスナー２０によって取り付けたが、図５に示すように、シート状の絶縁シート４０を電柱３５に巻き付けた後に、絶縁シート４０の外側に固定具１を取り付け、固定具１で絶縁シート４０を電柱３５に固定するように構成してもよい。この場合にも、間接活線工具により、固定具１の両アーム２、５に均等な押し込み力を加えることができるので、両アーム２、５への押し込み力が不均等なために、各アーム２、５の案内部材１６のローラー１７と絶縁シート４０との間の摩擦力に大小の差が生じることはなく、案内部材１６のローラー１７との摩擦力によって絶縁シート４０に摩耗や損傷が生じるようなことはない。
【符号の説明】
【００５５】
１  固定具
２  第１アーム
３  突部
３ａ  ピン挿通孔
４  突部
４ａ  ピン挿通孔
５  第２アーム
６  突部
６ａ  ピン挿通孔
７  支持部材
８  上板
８ａ  ピン挿通孔
９  下板
９ａ  ピン挿通孔
１０  側板
１１  把持部
１２  連結部材（連結ピン）
１６  案内部材
１７  ローラー
１８  支持軸
２０、２１、２２  面ファスナー
２０ａ、２１ａ、２２ａ  第１部材
２０ｂ、２１ｂ、２２ｂ  第２部材
２５  絶縁シート
２６  主シート部
２６ａ、２６ｂ  長辺
２６ｃ、２６ｄ  短辺
２７  スリット
２８、２９  副シート部
２８ａ、２９ａ  長辺
２８ｃ、２８ｄ、２９ｃ、２９ｄ  短辺
３０、３１  補助シート部
３０ａ、３１ａ  長辺
３０ｃ、３１ｃ  短辺
３２ａ、３２ｂ、３３ａ、３３ｂ  接合部
３４ａ、３４ｂ  折り曲げ線
３５  電柱
３６、３７  腕金
４０  絶縁シート
【図１】
2015015857.tif 000003
【図２】
2015015857.tif 000004
【図３】
2015015857.tif 000005
【図４】
2015015857.tif 000006
【図５】
2015015857.tif 000007